(57)【特許請求の範囲】
【請求項１】
表示部に、検索対象となる複数の識別情報を、スクロール可能な一覧リストとして表示させる情報表示装置であって、
前記スクロールの速度が閾値未満の場合には、前記複数の識別情報それぞれを同一の大きさで表示する第１の表示態様で表示し、
前記スクロールの速度が閾値以上の場合には、前記表示部の中央部に配置された前記識別情報を、前記第１の表示態様による前記識別情報の大きさよりも大きく表示する第２の表示態様で表示する表示制御手段を有することを特徴とする情報表示装置。
【請求項２】
前記スクロールの速度を検出するスクロール速度検出手段をさらに備え、
前記一覧リストは、インデックス部と、リスト部で階層構造に構成され、
前記スクロール速度検出手段は、
前記インデックス部または前記リスト部におけるスクロールの速度を検出し、
前記表示制御手段は、
前記スクロール速度検出手段により検出された前記スクロールの速度が閾値未満の場合には、前記リスト部を前記第１の表示態様で表示し、前記スクロール速度検出手段により検出された前記スクロールの速度が閾値以上の場合には、前記リスト部を前記第２の表示態様で表示することを特徴とする請求項１記載の情報表示装置。
【請求項３】
前記一覧リストは、第１の方向または前記第１の方向と反対の第２の方向にスクロール可能であり、
前記第１の方向は、前記表示部の下方向であり、前記第２の方向は、前記表示部の上方向であることを特徴とする請求項１又は２記載の情報表示装置。
【発明の詳細な説明】
【技術分野】
【０００１】
本発明は、表示画面にタッチパネルを用いた情報表示装置に関し、より詳しくは、タッチパネルを用いた操作により、一覧リストをスクロールして表示する情報表示装置に関する。
【背景技術】
【０００２】
自動車などの車両において音楽を楽しむ場合には、車両に搭載された表示装置（例えば、ＬＣＤなど）に楽曲情報のリスト（例えば、音楽のタイトルなど）を一覧表示させて、その中から所望の音楽を選択することがある。また、携帯型の音楽再生プレーヤなどで音楽を楽しむ場合にも、表示画面上に楽曲情報のリスト（例えば、音楽のタイトルなど）を一覧表示させて、その中から所望の音楽を選択することがある。
【発明の概要】
【発明が解決しようとする課題】
【０００３】
しかしながら、画面表示上に楽曲情報のリストを一覧表示する場合、表示対象の音楽が多いと、画面単位のスクロール操作を何回か行ったり、あるいは、リストのスクロール操作を長い間行ったりしないと、所望の音楽まで辿りつけないという問題がある。【０００４】
特に、車両に搭載された表示装置や携帯型の音楽再生プレーヤの表示画面は、画面サイズが小さいため、多くのタイトルを画面上に表示することができず、スクロール操作がより大変となる。【０００５】
また、スクロール速度を上げることにより、所望の検索対象までの到達時間を速めることも可能であるが、その場合には、スクロール表示されている楽曲情報のリストの中から所望の検索対象を見つけ出すことは難しいという問題もある。【０００６】
本発明は、上記の事情を鑑みてなされたものであり、その課題の一例としては、スクロール表示される一覧リストの中から所望の検索対象を見つけやすくすることにある。
【課題を解決するための手段】
【０００７】
上記の課題を達成するため、本発明の一態様は、タッチパネルを備えた表示部に、検索対象となる複数の識別情報が第１の方向に沿って並んだ一覧リストを表示するとともに、前記タッチパネルを介した操作により表示された前記一覧リストを前記第１の方向または前記第１の方向と反対の第２の方向にスクロールさせる情報表示装置であって、ユーザが前記タッチパネル上において接触した位置に基づいて、操作内容を判断する操作内容判断手段と、前記操作内容判断手段によって判断された操作内容から、前記第１の方向または前記第２の方向にスクロール操作していると判断した場合には、前記スクロール操作の速度を検出するスクロール速度検出手段と、前記スクロール操作の速度が閾値未満の場合には、前記一覧リストをスクロール操作の方向にスクロールさせながら、前記複数の識別情報それぞれの表記及び表記欄を同一の大きさで表示する第１の表示態様で表示し、前記スクロール操作の速度が閾値以上の場合には、前記一覧リストをスクロール操作の方向にスクロールさせながら、前記一覧リストの中央部に配置された前記識別情報の表記及び表記欄を、前記第１の表示態様の大きさよりも大きく表示するとともに、前記一覧リストの中央部から前記第１の方向及び前記第２の方向に向かうに従って、前記識別情報の表記及び表記欄を徐々に小さく表示する第２の表示態様で表示する表示制御手段と、を有する。
【図面の簡単な説明】
【０００８】
【図１】本発明の実施の形態に係るコンテンツ再生装置の概略構成図である。
【図２】本発明の実施の形態に係るコンテンツ再生装置のスクロール表示処理の流れを示すフローチャートである。
【図３】図２のステップＳ３０のインデックス部スクロール表示処理の流れを詳しく示すフローチャートである。
【図４】図２のステップＳ５０のリスト部スクロール表示処理の流れを詳しく示すフローチャートである。
【図５】本発明の実施の形態に係るコンテンツ再生装置のスクロール表示処理において表示部に表示される画面例である。
【図６】本発明の実施の形態に係るコンテンツ再生装置のスクロール表示処理において表示部に表示される画面例である。
【図７】本発明の実施の形態に係るコンテンツ再生装置のスクロール表示処理において表示部に表示される画面例である。
【図８】本発明の実施の形態に係るコンテンツ再生装置のスクロール表示処理において表示部に表示される画面例である。
【図９】本発明の実施の形態に係るコンテンツ再生装置のスクロール表示処理において表示部に表示される画面例である。
【発明を実施するための形態】
【０００９】
以下、本発明の実施の形態を図面を用いて説明する。
【００１０】
図１は、本発明の実施の形態に係るコンテンツ再生装置１の概略構成図である。コンテンツ再生装置１は、図１に示すように、概略、表示部２、操作位置検出部３、コンテンツ再生部４、スピーカ５、及び制御部６を備えている。ここで、コンテンツ再生装置１は、音楽コンテンツを再生する装置であり、音楽コンテンツを再生する際には、表示画面上に音楽コンテンツの一覧リスト７（以下、コンテンツリスト７という）を表示させて、所望の音楽を選択させ、選択された音楽コンテンツを再生するようになっている。なお、本実施の形態においては、表示画面にはタッチパネルの入力インターフェースを備えており、ユーザはこのタッチパネルを介してコンテンツ再生装置に指示を与えるようになっている。
【００１１】
本実施の形態においては、コンテンツ再生装置１を、自動車などの車両に搭載され、ナビゲーション装置、テレビ受信機、ＤＶＤプレーヤ、オーディオ再生装置（ＣＤプレーヤ、ＨＤＤプレーヤ）などの機能を備えた車両用コンテンツ再生装置の一機能として説明するが、コンテンツ再生装置１は車両用コンテンツ再生装置に限定されるものではない。タッチパネルの表示画面を備え、音楽コンテンツを再生可能なコンテンツ再生装置であればいずれの装置であってもよい。例えば、携帯型の音楽プレーヤや携帯情報端末であってもよい。また、本実施の形態においては、音楽コンテンツを一覧リストの検索対象として扱うが、一覧リストの検索対象となるものは、音楽コンテンツに限定されるものではない。例えば、レストランや店などの施設情報に関する一覧リストとし、施設情報を検索対象としてもよい。
【００１２】
表示部２は、具体的には、カラー液晶表示装置（ＬＣＤ）等のディスプレイから構成される出力インターフェースである。本実施の形態においては、コンテンツ再生装置１のハードディスクなどに格納された音楽コンテンツのコンテンツリスト７を表示部２の画面上に表示する。
【００１３】
操作位置検出部３は、具体的には、表示部２の画像表示面上に配置されたタッチパネルから構成され、表示部２に表示された操作情報（コンテンツ画像、操作ボタンやアイコン等）に触れることで情報入力が可能な入力インターフェースである。すなわち、操作位置検出部３は、ユーザが触れた画像表示面上の操作位置を検出し、検出した位置情報を後述する制御部６に出力するようになっている。
【００１４】
コンテンツ再生部４は、具体的には、オーディオ再生装置（ＣＤプレーヤ、ＨＤＤプレーヤ）等から構成され、音楽コンテンツを再生するようになっている。
【００１５】
スピーカ５は、コンテンツ再生部４にて再生されたコンテンツの音声を出力するようになっている。
【００１６】
制御部６は、具体的には、ＣＰＵ、ＲＯＭ、ＲＡＭなどから構成され、コンテンツ再生装置１全体の制御を行っている。詳しくは、制御部６は、操作内容判断部６１、スクロール速度検出部６２、表示制御部６３、及びコンテンツ再生制御部６４を具備する構成である。
【００１７】
操作内容判断部６１は、操作位置検出部３から出力される位置情報に基づいて、操作者が操作指示した内容を判断するようになっている。本実施の形態においては、操作位置検出部３は、表示部２に表示されるコンテンツリスト７を指で上下方向にスクロールさせるスクロール操作、指で所望の音楽タイトルを選択する選択操作などを検知するようになっている。例えば、ユーザが画像表示面上に表示されたコンテンツリスト７の中から、Ａという曲名のタイトル表示に指が触れた場合には、触れた位置からＡという曲の再生が指示されたと判断する。また、コンテンツリスト７に触れたまま指を上方向に連続的に移動させた場合には、コンテンツリスト７を上方向にスクロール操作したと判断する。
【００１８】
スクロール速度検出部６２は、操作内容判断部６１の判断により、操作内容がスクロール操作である場合には、スクロール操作の速度を検出するようになっている。詳しくは、画面上方向または下方向のスクロール操作の速度が定められた閾値以上であるか否かを判定するようになっている。
【００１９】
表示制御部６３は、表示部２に対する表示制御を行う。詳しくは、操作内容判断部６１の判断により、操作内容がスクロール操作である場合には、スクロール速度検出部６２により検出されたスクロール速度に応じて、表示態様を変化させてコンテンツリスト７をスクロール表示する。すなわち、画面上方向または下方向のスクロール操作の速度が定められた閾値以上である場合と閾値未満である場合に応じて、２種類の表示態様でコンテンツリスト７を表示する。２種類の表示態様については詳しくは後述する。
【００２０】
コンテンツ再生制御部６４は、操作内容判断部６１により判断された操作内容に基づいて、コンテンツ再生部４を制御する。例えば、操作内容が選択された音楽の再生の場合には、選択された音楽を再生する。
【００２１】
次に、図２〜図９を用いて、本実施の形態に係るコンテンツ再生装置１のコンテンツリスト７をスクロール表示するスクロール表示処理について説明する。図２は、スクロール表示処理の流れを示すフローチャートである。図３は、図２のステップＳ３０のインデックス部スクロール表示処理の流れを詳しく示すフローチャート、図４は、図２のステップＳ５０のリスト部スクロール表示処理の流れを詳しく示すフローチャートである。また、図５〜図９は、表示部２に表示される画面例であり、コンテンツリスト７の表示態様を示している。
【００２２】
まず、図２を用いて、コンテンツ再生装置１のスクロール表示処理について説明する。
【００２３】
コンテンツ再生装置１は、ユーザからコンテンツリスト表示の要求を受け付けると、表示部２にコンテンツリスト７を表示する（ステップＳ１０）。
【００２４】
図５にコンテンツリスト７を示す。本実施の形態においては、コンテンツリスト７は、階層構造で表示されており、音楽タイトルのインデックス（頭一文字）を表示するインデックス部７１と、音楽タイトルのリストを表示するリスト部７２と、を備えている。すなわち、画面の左方のインデックス表示領域Ｓ１にインデックス部７１を表示するとともに、画面略中央のリスト部表示領域Ｓ２にリスト部７２を表示する。ここで、リスト部７２に表示される音楽タイトルのリストは、フォーカスされたインデックス部７１のインデックス文字に対応する音楽タイトルが一覧表示されるようになっている。本実施の形態においては画面の中央やや上方の位置がフォーカスされており、例えば、図５の場合には、インデックス文字「Ａ」にフォーカスされている。
【００２５】
なお、コンテンツリスト７の初期表示においては、リスト部７２に表示された各音楽タイトル欄（矩形の形状のリストボックス）の大きさ、及び各音楽タイトル欄に表示された文字（リスト文言）の大きさは同一である。以下、このようなコンテンツリスト７の表示態様を第１の表示態様と称する。
【００２６】
次に、コンテンツ再生装置１は、ユーザからインデックス部７１に対する上下方向のスクロール操作があるか否かを判定する（ステップＳ２０）。ユーザからインデックス部７１に対する上下方向のスクロール操作がある場合には（ステップＳ２０：ＹＥＳ）、コンテンツ再生装置１は、インデックス部スクロール表示処理（詳しくは後述する）を実行する（ステップＳ３０）。
【００２７】
ユーザからインデックス部７１に対する上下方向のスクロール操作がない場合には（ステップＳ２０：ＮＯ）、コンテンツ再生装置１は、ユーザからリスト部７２に対する上下方向のスクロール操作があるか否かを判定する（ステップＳ４０）。ユーザからリスト部７２に対する上下方向のスクロール操作がある場合には（ステップＳ４０：ＹＥＳ）、コンテンツ再生装置１は、リスト部スクロール表示処理（詳しくは後述する）を実行する（ステップＳ５０）。なお、ユーザからリスト部７２に対する上下方向のスクロール操作がない場合には（ステップＳ４０：ＮＯ）、コンテンツ再生装置１は、スクロール表示処理を終了する。
【００２８】
次に、図３を用いて、インデックス部スクロール表示処理について詳しく説明する。
【００２９】
コンテンツ再生装置１は、インデックス部７１に対する上下方向のスクロール操作のスクロール速度が閾値未満であるか否かを判定する（ステップＳ３１）。
【００３０】
スクロール速度が閾値未満である場合には（ステップＳ３１：ＹＥＳ）、インデックス部７１をスクロール操作に合わせてスクロール表示するとともに（ステップＳ３２）、インデックス部７１のスクロール表示に合わせて、リスト部７２を第１の表示態様で表示する（ステップＳ３３）。図６に、インデックス部７１に対する上方向のスクロール操作のスクロール速度が閾値未満である場合のコンテンツリスト７の表示態様を示す。図６に示すように、リスト部７２は、第１の表示態様で表示されつつ、上方向にスクロールしている。
【００３１】
これに対して、スクロール速度が閾値以上である場合には（ステップＳ３１：ＮＯ）、インデックス部７１をスクロール操作に合わせてスクロール表示するとともに（ステップＳ３４）、インデックス部７１のスクロール表示に合わせて、リスト部７２を第２の表示態様で表示する（ステップＳ３５）。
【００３２】
ここで、第２の表示態様とは、リスト部７２に表示された各音楽タイトル欄（矩形の形状のリストボックス）の大きさ、及び各音楽タイトル欄に表示された文字（リスト文言）の大きさを同一に表示しない表示態様をいう。詳しくは、画面の上下方向における中央部の音楽タイトル欄（矩形の形状のリストボックス）の大きさ及び音楽タイトル欄に表示された文字（リスト文言）の大きさを第１の表示態様の大きさよりも大きく表示するとともに、中央部から上下方向に向かうに従って音楽タイトル欄（矩形の形状のリストボックス）の大きさ及び音楽タイトル欄に表示された文字（リスト文言）の大きさを徐々に小さく表示して、画面の中央部の視認性を向上させる表示態様である。すなわち、第２の表示態様では、中央部の音楽タイトル欄の大きさ及び音楽タイトル欄に表示された文字の大きさが最も大きく表示される。
【００３３】
なお、本実施の形態の第２の表示態様においては、画面の明るさに関しても、画面の上下方向における中央部の視認性を向上させている。すなわち、画面の上下方向における中央部を明るく表示する一方、画面の中央部から上下方向に向かうに従って徐々に画面の明るさを暗く表示している。
【００３４】
図７に、インデックス部７１に対する上方向のスクロール操作のスクロール速度が閾値以上である場合のコンテンツリスト７の表示態様を示す。図７に示すように、リスト部７２は、第２の表示態様で表示されつつ、上方向にスクロールしている。図６及び図７に示すように、第２の表示態様は、第１の表示態様よりもリスト部７２に表示される音楽コンテンツのタイトル数が多い。すなわち、第２の表示態様は、一画面に表示される音楽タイトル数を多く表示しつつも、中央部分のタイトルを目立たせることができる表示態様である。
【００３５】
次に、図４を用いて、リスト部スクロール表示処理について詳しく説明する。
【００３６】
コンテンツ再生装置１は、リスト部７２に対する上下方向のスクロール操作のスクロール速度が閾値未満であるか否かを判定する（ステップＳ５１）。
【００３７】
スクロール速度が閾値未満である場合には（ステップＳ５１：ＹＥＳ）、リスト部７２をスクロール操作に合わせて第１の表示態様で表示するとともに（ステップＳ５２）、リスト部７２のスクロール表示に合わせて、インデックス部７１をスクロール表示する（ステップＳ５３）。図８に、リスト部７２に対する下方向のスクロール操作のスクロール速度が閾値未満である場合のコンテンツリスト７の表示態様を示す。図８に示すように、リスト部７２は、第１の表示態様で表示されつつ、下方向にスクロールしている。
【００３８】
これに対して、スクロール速度が閾値以上である場合には（ステップＳ５１：ＮＯ）、リスト部７２のスクロール操作に合わせて第２の表示態様で表示するとともに（ステップＳ５４）、インデックス部７１のスクロール表示に合わせて、インデックス部７１をスクロール表示する（ステップＳ５５）。図９に、リスト部７２に対する上方向のスクロール操作のスクロール速度が閾値以上ある場合のコンテンツリスト７の表示態様を示す。図９に示すように、リスト部７２は、第２の表示態様で表示されつつ、上方向にスクロールしている。
【００３９】
以上、述べたように本実施の形態によれば、コンテンツリスト７のインデックス部７１またはリスト部７２に対するスクロール操作の操作速度が閾値未満の場合には、リスト部７２に表示された各リストボタンの大きさ及び各リスト文言の大きさをすべて同じとする第１の表示態様でコンテンツリスト７を表示し、コンテンツリスト７のインデックス部７１またはリスト部７２に対するスクロール操作の操作速度が閾値以上の場合には、リスト部７２の中央部に配置されたリストボタンの大きさ及びリスト文言の大きさを第１の表示態様の大きさよりも大きく表示するとともに、中央部から上下方向に向かうに従って、リストボタンの大きさ及びリスト文言の大きさを徐々に小さく表示するので、スクロール操作がいかなる速さであっても、スクロール表示されるコンテンツリスト７の中から所望のタイトルを見つけることが容易である。
【００４０】
なお、上記実施の形態においては、表示部２にコンテンツリスト７を表示するコンテンツ再生装置１を例に挙げて、スクロール表示に関する表示制御について説明したが、本発明のスクロール表示に関する表示制御は、これに限定されるものではない。すなわち、本発明のスクロール表示に関する表示制御は、所定の情報（他の情報と識別可能な情報、以下、識別情報という）を一覧リストにして表示するともに、スクロール操作により一覧リストをスクロール表示する装置、方法、及びプログラムに適用することが可能であり、識別情報の表示態様をスクロール操作の速度に応じて制御することができる。
【００４１】
詳しくは、スクロール速度が遅い場合には、識別情報の表記及び表記欄がすべて同じ大きさである一覧リストを表示してスクロールさせるので、ユーザは所望の識別情報を容易に見つけることができる。一方、スクロール速度が速い場合には、中央部の識別情報の表記及び表記欄を大きく表示して目立たせるとともに、上下端の識別情報の表記及び表記欄を小さく表示させるので、より多くの識別情報が一画面にスクロール表示されながらも、ユーザは所望の識別情報を容易に見つけることができる。
【００４２】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【符号の説明】
【００４３】
１  コンテンツ再生装置
２  表示部
３  操作位置検出部
４  コンテンツ再生部
５  スピーカ
６  制御部
７  コンテンツリスト
６１  操作内容判断部
６２  スクロール速度検出部
６３  表示制御部
６４  コンテンツ再生制御部
７１  インデックス部
７２  リスト部
【図１】
0005431473.tif 000002
【図２】
0005431473.tif 000003
【図３】
0005431473.tif 000004
【図４】
0005431473.tif 000005
【図５】
0005431473.tif 000006
【図６】
0005431473.tif 000007
【図７】
0005431473.tif 000008
【図８】
0005431473.tif 000009
【図９】
0005431473.tif 000010